(57)【要約】【課題】  自動販売機及び無人店鋪で商品を販売する際、陳列された商品の盗難の抑止及び散乱の防止。また、ハンガーに掛けた商品の手触り、質感、サイズが確認でき、美観を保った収納状態にできるハンガーラック及び、そのハンガーラックを備え、商品を陳列、販売可能にする自動販売機を提供すること。【解決手段】  二枚のプレートで商品を挟み込むハンガーと、ばね式リールを内蔵したハンガーパイプを備え、ハンガー連結部をばね式リールから伸びるワイヤーで連結したハンガーラック１を自動販売機に設置することで、この課題を解決する。【選択図】図１
2007252857.tif 000002
【特許請求の範囲】
【請求項１】
二枚のプレートで商品を挟み込むハンガーと、ばね式リールを内蔵したハンガーパイプを備え、ハンガー連結部をばね式リールから伸びるワイヤーで連結したことを特徴とするハンガーラック。
【請求項２】
請求項１記載のハンガーラックを備えることを特徴とする自動販売機。
【発明の詳細な説明】
【技術分野】
【０００１】  本発明は、自動販売機で商品を販売する際に、その商品を陳列する為のハンガーラックを備えた自動販売機に関するものである。
【背景技術】
【０００２】  一般的にハンガーラックを備えた自動販売機がない。また、従来ハンガーラックはハンガーを掛けたり取り外したりすることを前提とし、ハンガーラック、ハンガー各々個別のものとして存在する。ハンガーに関しては掛けた商品を取り外すことが前提とされたものがある。
【発明の開示】
【発明が解決しようとする課題】
【０００３】  従来技術では自動販売機及び無人店鋪で商品を販売する際、陳列された商品の盗難の抑止及び散乱の防止ができない。【０００４】  そこで、ケースの中など、手の触れる事のできない場所に商品を陳列すると、場所を取る他ハンガーに掛けられた商品を手に取って、商品の手触り、質感を確認できず、鏡に合わせてサイズを確認することもできない。【０００５】  また、ハンガーラックにハンガーを収納する際、美観上ハンガーラックとハンガーの連結物そのものが目に見えない位置に収納される必要があり、そのハンガーにおいては、掛けた商品をハンガーから取り外すことができない様にする必要がある。【０００６】  よって本発明は、上記を解決し、商品を陳列、販売可能にする自動販売機を提供することを目的とするものである。
【課題を解決するための手段】
【０００７】  上記目的を達成するべく、二枚のプレートで商品を挟み込むハンガーと、ばね式リールを内蔵したハンガーパイプを備え、ハンガー連結部をばね式リールから伸びるワイヤーで連結したハンガーラックを自動販売機に設置する。
【発明の効果】
【０００８】  本発明により、自動販売機からハンガーラック、ハンガー、衣類までを連結し、よって陳列された衣服の盗難を抑止できる。
【発明を実施するための最良の形態】
【０００９】  図１は、本発明の内自動販売機を除いたハンガーラック及びハンガーに係る見取り図である。図２は、本発明の内自動販売機を除いたハンガーラック及びハンガーに係る正面図である。図３は、本発明の内自動販売機を除いたハンガーラック及びハンガーに係る側面図である。前記の三図に示すように、一対の台座２に開いた台座部ねじ穴３により、自動販売機側面へ頑丈にハンガーラックを設置できる。一対の台座２から各々垂直方向に伸びる二枚の支持板４によりハンガーパイプ５を支えるものとする。以上の台座２、支持板４に至ってはその形状を問わないが、支持板４の縦幅は、ハンガーパイプにハンガーを掛けるという従来の工程が不要なため、ハンガーパイプ５の縦幅と同じでよい。そのため、材料の削減を図ることができる。また、ハンガーパイプ５に至ってはその形状が、以下で説明するばね式リール１３を内蔵及び稼動することができればその形状を問わない。【００１０】  ハンガーパイプ５の内部には垂直に仕切り１４を設け、その仕切り１４に水平にばね式リール１３を設ける。ばね式リール１３はワイヤー６と連結し、巻取るものである。巻取ったワイヤー６は、ばね式リール１３から引き出すことができ、また、ばねにより自動で巻取られる。ハンガーパイプ５の下部には、ハンガープレート９に連結するための、ばね式リール１３に連結されたワイヤー６を通し、ハンガープレート９及びそれに固定する固定プレート１０が収納される開口部２１を設ける。開口部２１によりハンガーパイプ５の外部に出ることができるワイヤー６の先端は、ハンガープレート９の中央上部に設けた連結部８を通し、留め具７で固定すると、ワイヤー６とハンガープレート９が連結される。【００１１】  これにより、ハンガープレート９及び固定プレート１０をハンガーラック１から手元に引き出せ、また、ワイヤー６と連結されたばね式リール１３により自動でハンガーパイプ５の開口部２１に収納される。以上によりハンガープレート９に掛ける商品を手に取って商品の手触り、質感を確認できる。また、ハンガーパイプ５に内蔵されたばね式リール１３に連結物のワイヤー６が巻き取られるため目に見えない位置へ、ハンガープレート９及び固定プレート１０はハンガーパイプ下部の開口部２１に収納されるため、美観を保つことができる。さらに、ばね式リール１３がハンガープレート９及び固定プレート１０を自動で収納するため、ハンガーパイプにハンガーを掛けるという従来の工程を省き、ハンガーのハンガーラックへの収納を容易にする。以上の仕切り１４に至ってはその形状を問わず、留め具７に至ってはワイヤー６が連結部８から外れることがなければ、その形状及び様式を問わない。【００１２】  図４は、本発明の内ハンガプレートに係る正面図である。図５は、本発明の内固定プレートに係る正面図である。図６は、本発明の内ハンガープレート及び固定プレートに係る側面図である。図７は、ハンガープレートに商品を掛け固定プレートを挟み込む様子を示した図である。前記の四図に示すように、ハンガープレート９の正面には値札を入れることができる値札フレーム１２、その背面には凸面１５を設ける。これと同心円を持った凹面１６を固定プレート１０の正面に設���る。ハンガープレート９には商品１７を掛け、その背面側から固定プレート１０で各々の凹凸が噛み合うように、商品１７ごと挟み込みハンガープレート９の正面側のねじ穴１１により固定する。これにより、商品１７はハンガープレート９及び固定プレート１０から取り外すことができなくなる。ハンガープレート９の中央上部に設けた連結部８にワイヤー６が連結される。これにより自動販売機からハンガーラック、ハンガー、商品までが連結され、これによって商品の盗難を抑止できる。【００１３】  ハンガープレート９及び固定プレート１０に至ってはその形状は、ハの字形を擁しているが、取り扱う商品によって任意で変更してもよい。また、ハンガープレート９及び固定プレート１０は各々独立した存在であるが、蝶番などで双方を一体としてもよい。またハンガープレート９には凸面１５、固定プレートには凹面１６を各々設けてあるが、その凸面と凹面を入れ替えてもよいし、双方が噛み合えば凹凸の形状は問わない。また、両プレートの凹凸はプレートの一部ではなく、全面に配してもよい。連結部８に至ってはワイヤー６を通せる穴が開いていればその形状を問わないが、連結部８を設けずハンガープレート９及び固定プレート１０の両方、若しくは一方にワイヤー６を連結してもよい。【００１４】  図８は実際に使用する際のハンガーラック付き自動販売機の側面及び、商品を鏡まで引き出した状態を示した図である。同図に示すように自動販売機側面１８に鏡１９を設け、ハンガーラック１から陳列する商品１７を手元に引き出すことによって商品１７を手に取り鏡に合わせてサイズを確認することができる。ハンガーラック１に至ってははねじで設置する手段を取らず、その台座部分を直接自動販売機側面１８に溶接してもよい。また、設置する位置は問わない。ハンガーパイプのハンガープレート９及び固定プレート１０のハンガー部分の所有数に至っては、ハンガーパイプの横幅を変えて、任意で増減してもよい。また、ハンガーラックに至っては任意で複数段設置してもよい。これにより、陳列する商品の数が任意で増減できる。鏡１９に至ってはその形状、位置を問わない。【００１５】  ハンガープレート９の中央に設けた値札フレーム１２に値札２０をはめることにより、値札２０がねじ穴１１のねじを隠す役目をし、このことは商品の盗難の抑止に寄与する。本発明の実施の形態例は、破損、破壊、盗難を防ぐ事が重要であり、ハンガーラック、ワイヤー、ハンガーに係る材料は全て金属製とする。
【産業上の利用可能性】
【００１６】本発明の実施の形態例は、工業的に量産する事が可能であるため、産業上の利用可能性を有する。
【図面の簡単な説明】
【００１７】
【図１】  本発明の内ハンガーラック及びハンガーに係る見取り図である。
【図２】  本発明の内ハンガーラック及びハンガーに係る正面図である。
【図３】  本発明の内ハンガーラック及びハンガーに係る側面図である。
【図４】  本発明の内ハンガープレートの係る正面図である。
【図５】  本発明の内固定プレートに係る正面図である。
【図６】  本発明の内ハンガープレート及び固定プレートに係る側面図である。
【図７】  ハンガープレートに衣服を掛け固定プレートを挟み込む様子を示した図である。
【図８】  実際に使用する際のハンガーラック付き自動販売機の側面及び、商品を鏡まで引き出した状態を示した図である。
【符号の説明】
【０１８】１    本発明の内ハンガーラック及びハンガー
２    台座
３    台座部ねじ穴
４    支持板
５    ハンガーパイプ
６    ワイヤー
７    留め具
８    連結部
９    ハンガープレート
１０  固定プレート
１１  ハンガー部ねじ穴
１２  値札フレーム
１３  ばね式リール
１４  仕切り
１５  凸面
１６  凹面
１７  衣服
１８  自動販売機側面
１９  鏡
２０  値札
２１  開口部
【図１】
2007252857.tif 000003
【図２】
2007252857.tif 000004
【図３】
2007252857.tif 000005
【図４】
2007252857.tif 000006
【図５】
2007252857.tif 000007
【図６】
2007252857.tif 000008
【図７】
2007252857.tif 000009
【図８】
2007252857.tif 000010